(57)【要約】【課題】遠心塗抹装置の密閉回転容器の蓋に対して、机上に広いスペースを確保することなく、立て掛けた状態で且つ液垂れが防止できるように収納することができると共に、操作者の利き手が左右どちらであっても液体検体に接触するリスクを同様に低下させることが可能な蓋スタンドを提供する。【解決手段】本発明に係る蓋スタンド１は、遠心塗抹装置１３０の密閉回転容器１３４に被嵌される、周縁部１４２ｄにおいて径方向に突出する鍔部１５１と裏面方向に突出する円筒状の飛散保護壁１６０とを有する蓋１４２を立て掛けて置く蓋スタンドであって、前記蓋１４２の中心近傍部１４２ｃを支持する上方支持部１２を一方側および他方側の両側に有する中央支持部材１０が中央位置に配設され、前記蓋１４２の周縁部１４２ｄを支持する下方支持部２２を有する側方支持部材２０が、前記中央支持部材１０に対して一方側および他方側となる両側位置に配設されている。【選択図】図１
2018004254.tif 000002
【特許請求の範囲】
【請求項１】
遠心塗抹装置の密閉回転容器に被嵌される、周縁部において径方向に突出する鍔部と裏面方向に突出する円筒状の飛散保護壁とを有する蓋を立て掛けて置く蓋スタンドであって、
前記蓋の中心近傍部を支持する上方支持部を一方側および他方側の両側に有する中央支持部材が中央位置に配設され、
前記蓋の周縁部を支持する下方支持部を有する側方支持部材が、前記中央支持部材に対して一方側および他方側となる両側位置に配設されていること
を特徴とする蓋スタンド。
【請求項２】
前記側方支持部材の前記下方支持部は、前記蓋の前記飛散保護壁の外周面に沿う曲線状に形成されていること
を特徴とする請求項１記載の蓋スタンド。
【請求項３】
前記中央支持部材の前記上方支持部は、金属の板材が頂上部で折曲されてなる曲面状に形成されていること
を特徴とする請求項１または請求項２記載の蓋スタンド。
【請求項４】
前記中央支持部材の前記上方支持部は、前記蓋の把手を進入させる切欠孔を有し、
前記切欠孔は、幅寸法および深さ寸法がいずれも前記把手の外径寸法よりも大きく形成されていること
を特徴とする請求項１〜３いずれか一項に記載の蓋スタンド。
【発明の詳細な説明】
【技術分野】
【０００１】
本発明は蓋スタンドに関し、さらに詳細には、遠心塗抹装置の密閉回転容器の蓋を立て掛けて置く蓋スタンドに関する。
【背景技術】
【０００２】
例えば、体液、血液および尿等人体から採取した液体から細胞を遠心分離し、分離した細胞をスライドガラス上に塗抹する遠心塗抹装置が従来より知られている（特許文献１参照）。
【０００３】
特許文献１記載の遠心塗抹装置１３０を図４に示す。この遠心塗抹装置１３０は、液体検体を収容してスライドガラス１７２に対して液体検体中の細胞を遠心力によって塗抹させるようにスライドガラス１７２を着脱可能なチャンバー１７０を収納する密閉回転容器１３４と、密閉回転容器１３４を収納し、密閉回転容器１３４を回転させる回転駆動手段１３２を有する基体１３１とを備えて構成されている。
【先行技術文献】
【特許文献】
【０００４】
【特許文献１】特開２０１３−０８１４４１号公報
【発明の概要】
【発明が解決しようとする課題】
【０００５】
図４に示す遠心塗抹装置１３０における密閉回転容器１３４は、チャンバー１７０を収納可能な本体１４０と、本体１４０の上面開口部を閉塞する蓋１４２とを備えている。ここで、密閉回転容器１３４に収容される液体検体は、患者の体液、尿、血液等であることが多く、液体検体からの感染等のおそれもあるため、取り扱いには注意を必要とする。したがって、密閉回転容器１３４からの漏出や蓋１４２への付着等に起因した操作者における液体検体との接触防止を図るため、図５に示すように、蓋１４２の周縁部には、本体１４０の上面開口部の端面との間をシールするシール部１５０が設けられていると共に、シール部１５０の内側には、液体がシール部１５０に飛散しないように、裏面方向に突出してシール部１５０を内側から隠蔽する飛散保護壁１６０が設けられている。
【０００６】
しかしながら、従来、密閉回転容器から取り外された蓋は、把手を下に向けて、すなわち、液体検体が付着した裏面を上に向けて、そのまま机上に置かれる場合がほとんどであった。そのため、先ず、机上に蓋を置くための広いスペースを確保しなければならないという問題があった。さらに、蓋を机上に置く際および机上から取り上げる際において、操作者が蓋の裏面に付着した液体検体に触れてしまう可能性があった。また、把手を下に向けて置かれた蓋は、取り上げる際に把手が掴み難いため、机上から落下させてしまう可能性もあった。さらに、蓋から机上に液体検体の液垂れが生じると、周囲への汚染が広がってしまう可能性もあった。
【０００７】
以上のように、遠心塗抹装置は、用いられる液体検体のリスクに対処するために、密閉回転容器の蓋に特徴的な構成が採用されている一方で、上記の通り、取り外した蓋を机上に置くという工程において多くの課題が生じていた。
【０００８】
本発明は、上記課題に鑑みてなされたものであり、特徴的な構成を有する遠心塗抹装置の密閉回転容器の蓋に対して、机上に広いスペースを確保することなく、立て掛けた状態で且つ液垂れが防止できるように収納することができると共に、操作者の利き手が左右どちらであっても液体検体に接触するリスクを同様に低下させることが可能な蓋スタンドを提供することを目的とする。
【課題を解決するための手段】
【０００９】
一実施形態として、以下に開示するような解決手段により、前記課題を解決する。
【００１０】
開示の蓋スタンドは、遠心塗抹装置の密閉回転容器に被嵌される、周縁部において径方向に突出する鍔部と裏面方向に突出する円筒状の飛散保護壁とを有する蓋を立て掛けて置く蓋スタンドであって、前記蓋の中心近傍部を支持する上方支持部を一方側および他方側の両側に有する中央支持部材が中央位置に配設され、前記蓋の周縁部を支持する下方支持部を有する側方支持部材が、前記中央支持部材に対して一方側および他方側となる両側位置に配設されていることを特徴とする。
【発明の効果】
【００１１】
本発明によれば、遠心塗抹装置の密閉回転容器の蓋を立て掛けた状態で且つ液垂れが防止できるように収納することができる。これにより、収納時の省スペース化を図ることもできる。また、操作者の利き手が左右どちらであっても、蓋を容易に且つスムーズに収納することができ、液体検体に接触するリスクを同様に低下させることができる。さらに、蓋を確実に支持することができ、蓋の転倒、落下事故の防止を図ることができる。
【図面の簡単な説明】
【００１２】
【図１】本発明の実施形態に係る蓋スタンドの例を示す概略図である。
【図２】図１に示す蓋スタンドの概略図（正面図）である。
【図３】図１に示す蓋スタンドの概略図（側面図）である。
【図４】特許文献１に記載の遠心塗抹装置の例を示す概略図である。
【図５】図４に示す遠心塗抹装置の密閉回転容器の蓋の例を示す概略図である。
【図６】図１に示す蓋スタンドに図４に示す蓋を立て掛けて置いた状態の概略図である。
【発明を実施するための形態】
【００１３】
以下、図面を参照して、本発明の実施形態について詳しく説明する。図１は、本実施形態に係る蓋スタンド１の例を示す斜視図（概略図）であり、図２は、その正面図（概略図）であり、図３は、その側面図（概略図）である。なお、実施形態を説明するための全図において、同一の機能を有する部材には同一の符号を付し、その繰り返しの説明は省略する場合がある。
【００１４】
この蓋スタンド１は、遠心塗抹装置１３０の密閉回転容器１３４に着脱可能に設けられる蓋１４２を立て掛けて置く蓋スタンドである。
【００１５】
前述の通り、遠心塗抹装置１３０は、スライドガラス１７２を着脱可能なチャンバー１７０を収納する密閉回転容器１３４と、密閉回転容器１３４を収納し、密閉回転容器１３４を回転させる回転駆動手段１３２を有する基体１３１とを備えて構成されており、この密閉回転容器１３４において、チャンバー１７０を収納可能な本体１４０、および本体１４０の上面開口部を閉塞する蓋１４２が設けられている（図４参照）。
【００１６】
ここで、蓋１４２は、操作者が液体成分に触れてしまうことを防止するための特徴的な構成を備えている。具体的には、図５に示すように、蓋１４２の周縁部には、本体１４０の上面開口部の端面との間をシールするシール部１５０が設けられていると共に、シール部１５０の内側には、液体がシール部１５０に飛散しないように、裏面方向に突出してシール部１５０を内側から隠蔽する飛散保護壁１６０が設けられている。これによって、遠心時にチャンバー１７０から飛散した液体成分が飛散保護壁１６０によって遮られ、シール部１５０から密閉回転容器１３４の本体外に漏れることを防止することができるため、操作者が液体成分に触れてしまうリスクの低減を図ることができる。
【００１７】
なお、シール部１５０は、周縁部１４２ｄにおいて径方向に突出する鍔部１５１の周囲にパッキン１５２が被嵌された構成を備えている。これにより、密閉回転容器１３４の本体１４０との密閉性を高めて、液体検体の漏出防止効果を高めている。
【００１８】
一方、飛散保護壁１６０は、裏面方向に突出する円筒状の構成を備えており、当該円筒部の軸方向長さが蓋１４２の裏面１４２ｂから鍔部１５１までの長さと同程度に長い形状であって、且つ、裏面１４２ｂから離れるにつれて円筒部の厚さが薄くなる形状に形成されている。これにより、チャンバー１７０から飛散した液体成分がシール部１５０まで到達することを防ぎ、シール部１５０からの液体検体の漏出防止効果を高めている。さらに、飛散保護壁１６０の先端をできる限り薄く形成することにより飛散した液体成分が当該先端部に滞留することを防止できるため、蓋１４２を開けた際に蓋１４２に付着したまま液体成分が外部に出てしまうことを防止することができる。
【００１９】
上記のごとく遠心塗抹装置１３０の密閉回転容器１３４に用いるための様々な特徴的構成を備える蓋１４２を立て掛けて置くことができるように、本実施形態に係る蓋スタンド１は、以下の特徴的な構成を備えている。
【００２０】
先ず、全体構成として、蓋１４２の表面１４２ａの中心近傍部１４２ｃを支持する中央支持部材１０が中央位置に立設され、且つ、蓋１４２の周縁部１４２ｄを支持する側方支持部材２０が、中央支持部材１０に対して一方側および他方側となる両側位置において当該中央支持部材１０を支持するように接地して配設されている（図中２０Ａ、２０Ｂ）。これによれば、側方支持部材２０で蓋１４２の周縁部１４２ｄを支持し、中央支持部材１０で蓋１４２の表面１４２ａ（中心近傍部１４２ｃ）を支持して、蓋１４２を立て掛けて置くことができる。したがって、従来のように蓋１４２を机上に置くことによって生じていた課題の解決を図ることができる。
【００２１】
一例として、蓋スタンド１は、ステンレス合金（ＳＵＳ３０４）からなる平板状の金属材料を用いて、プレス加工による型抜き、折曲工程等を経て形成されている。このように簡易な構成であるにもかかわらず、二つの側方支持部材２０Ａ、２０Ｂにより中央支持部材１０を挟むように支える構成を備えることによって、設置スペースの省スペース化を図りつつも、蓋１４２を立て掛けて置く際の安定性を高めることができる。したがって、蓋１４２を立て掛けた状態の蓋スタンド１が倒れて汚染された液体検体が飛散してしまう事故の防止を図ることができる。
【００２２】
ここで、中央支持部材１０は、蓋１４２の表面１４２ａ（中心近傍部１４２ｃ）を支持する上方支持部１２を一方側および他方側の両側に有している（１２Ａ、１２Ｂ）。この構成と、側方支持部材２０Ａ、２０Ｂが、中央支持部材１０の一方側および他方側の両側位置に配設されている構成とによって、中央支持部材１０の一方側もしくは他方側のいずれを用いても、蓋１４２を立て掛けて置くことができる。すなわち、側方支持部材２０Ａおよび中央支持部材１０の上方支持部１２Ａを用いて蓋１４２を立て掛けて置くことができる一方、側方支持部材２０Ｂおよび中央支持部材１０の上方支持部１２Ｂを用いて蓋１４２を立て掛けて置くこともできる。
【００２３】
より具体的には、図６を用いて説明すれば、蓋スタンド１の側面に向かって、右利きの操作者は図６Ａに示すように蓋１４２を立て掛けて置くことができ、左利きの操作者は図６Ｂに示すように蓋１４２を立て掛けて置くことができる。したがって、操作者の利き手が左右どちらであっても、蓋１４２を蓋スタンド１に立て掛けて置く作業を同様に行うことができ、蓋１４２を倒してしまうリスクも同様に低下させることができる。すなわち、操作者の利き手にかかわらず、液体検体に接触するリスクを同様に低下させることができる。
【００２４】
なお、本実施形態においては、中央支持部材１０の上方支持部１２（１２Ａ、１２Ｂ）は、金属の平板材料が頂上部において所定の曲率で折曲された曲面状に形成されている（図３参照）。これによれば、蓋１４２の外径寸法にかかわらず曲面での接触が可能となるため、蓋１４２の表面１４２ａに傷を付けることなく、且つ、確実に支持を行うことができる。
【００２５】
一方、側方支持部材２０Ａ、２０Ｂは、それぞれ、蓋１４２の周縁部１４２ｄを支持する下方支持部２２（２０Ａにおける２２Ａ、２０Ｂにおける２２Ｂ）が起立形成されている。これによれば、図６に示すように、下方支持部２２の上端部２２ａを鍔部１５１と飛散保護壁１６０との間に進入させて当該飛散保護壁１６０を支持することができる。また、このとき、鍔部１５１が下方支持部２２の内壁面（中央支持部材１０に対応する側の面）に当接した位置以上には、蓋１４２の周縁部１４２ｄが外方へズレてしまうことがないため、蓋１４２が蓋スタンド１から外れてしまうことも防止される。したがって、前述の通り特徴的な構成を有する蓋１４２であっても、蓋１４２の周縁部１４２ｄ（ここでは、飛散保護壁１６０）を側方支持部材２０の下方支持部２２によって確実に支持することができるため、蓋１４２を立て掛けて置くことが可能となる。なお、その作用を得るために、下方支持部２２の上端部２２ａの高さ寸法が、蓋１４２の鍔部１５１の径方向寸法（ここでは、パッキン１５２が被嵌された状態での径方向寸法）よりも大きく形成されていることが必要である。
【００２６】
さらに、本実施形態に特徴的な構成として、側方支持部材２０の下方支持部２２は、蓋１４２の飛散保護壁１６０の外周面１６０ａに沿う曲線状に形成されている。これによれば、蓋１４２がその外周面１６０ａを上端部２２ａに接触させた状態で当該上端部２２ａ上を転動してしまうことを防止することができる。したがって、所定位置に静止する状態で極めて安定的に蓋１４２を下方支持部２２（上端部２２ａ）に載置することができる。そのために、蓋１４２の飛散保護壁１６０の外周面１６０ａの曲率と、蓋１４２がその外周面１６０ａを上端部２２ａの曲率とが同一である構成が好ましい。ただし、相互の曲率が若干相違しても、上端部２２ａが直線状である構成に比べれば、載置時の安定性を高める効果が得られる。
【００２７】
ここで、蓋１４２は中心部に把手１６２を有しているため、中央支持部材１０の上方支持部１２が設けられる領域を単なる板面として形成してしまうと、突起する把手１６２のみが中央支持部材１０と当接して、表面１４２ａが中央支持部材１０と当接しないため、載置時の状態が不安定となる。さらに、蓋１４２を蓋スタンド１に立て掛ける際および取り出す際に操作者の手が中央支持部材１０に遮られてしまうため、操作性が悪くなり、蓋１４２の転倒、落下等の事故にもつながりかねない。
【００２８】
この問題に対して、本実施形態においては、中央支持部材１０の頂上部の中央位置、すなわち、一方側の上方支持部１２Ａと１２Ａとの間、および、他方側の上方支持部１２Ｂと１２Ｂとの間に蓋１４２の把手１６２を進入させる切欠孔１４（１４Ａ、１４Ｂ）が設けられている。当該切欠孔１４（１４Ａ、１４Ｂ）は、幅寸法Ｌ１および深さ寸法Ｌ２がいずれも把手１６２の外径寸法よりも大きく形成されている。この構成によれば、操作者が把手１６２を把持した状態のまま、指が切欠孔１４（１４Ａ、１４Ｂ）の内周部に当たることなく把手１６２を通過させることができる。したがって、蓋１４２を蓋スタンド１に立て掛ける際および取り出す際の操作を極めて容易且つスムーズに行うことができるため、蓋１４２の転倒、落下等の事故防止を図ることができる。また、蓋１４２の把手１６２ではなく、表面１４２ａにおける中心近傍部１４２ｃを確実に上方支持部１２Ａ、１２Ａ（もしくは１２Ｂ、１２Ｂ）に当接させて二箇所で支持させることができるため、安定的な蓋１４２の支持が可能となる。
【００２９】
以上、説明した通り、従来は、遠心塗抹装置の密閉回転容器の蓋を机上に置く際において、蓋の把手を下に向けて、すなわち、液体検体が付着した裏面を上に向けて、そのまま机上に置かれるため、机上に広いスペースを確保しなければならないという問題があった。さらに、蓋を机上に置く際および机上から取り上げる際において、操作者が蓋の裏面に付着した液体検体に触れてしまう可能性があった。また、把手を下に向けて置かれた蓋は、取り上げる際に把手が掴み難いため、机上から落下させてしまう可能性もあった。さらに、蓋から机上に液体検体の液垂れが生じると、周囲への汚染が広がってしまう可能性もあった。
【００３０】
しかし、本発明に係る蓋スタンドによれば、上記の課題の解決を図ることができる。すなわち、机上に広いスペースを確保することなく、遠心塗抹装置の密閉回転容器の蓋を立て掛けた状態で且つ液垂れが防止できるように収納することができる。また、操作者の利き手が左右どちらであっても、蓋を容易に且つスムーズに収納することができる。したがって、利き手にかかわらず液体検体に接触するリスクを同様に低下させることができる。さらに、蓋を確実に支持することができ、蓋の転倒、落下事故の防止を図ることができる。
【００３１】
なお、本発明は、以上説明した実施例に限定されることなく、本発明を逸脱しない範囲において種々変更可能である。
【符号の説明】
【００３２】
１  蓋スタンド
１０  中央支持部材
１２、１２Ａ、１２Ｂ  上方支持部
１４、１４Ａ、１４Ｂ  切欠孔
２０、２０Ａ、２０Ｂ  側方支持部材
２２、２２Ａ、２２Ｂ  下方支持部
１３０  遠心塗抹装置
１３４  密閉回転容器
１４０  密閉回転容器の本体
１４２  密閉回転容器の蓋
１５０  シール部
１５１  鍔部
１５２  パッキン
１６０  飛散保護壁
１６２  把手
【図１】
2018004254.tif 000003
【図２】
2018004254.tif 000004
【図３】
2018004254.tif 000005
【図４】
2018004254.tif 000006
【図５】
2018004254.tif 000007
【図６】
2018004254.tif 000008
【手続補正書】
【提出日】平成29年3月23日(2017.3.23)
【手続補正１】
【補正対象書類名】明細書
【補正対象項目名】０００４
【補正方法】変更
【補正の内容】
【０００４】
【特許文献１】特開２０１４−２０２７１３号公報